(57)【要約】【課題】郵便受取人が圧着面を開封したはがきをパンチ孔を明ける手数を掛けずにそのままファイリングできる圧着はがき用紙を提供する。【解決手段】Ｖ折り（二つ折り）圧着はがき用紙１の場合は、はがき本体２の一方の側辺３に連設されている付随部４の上辺又は側辺（図１(a) の例では上辺）の近傍に２個のパンチ孔５が予め形成される。Ｚ折り圧着はがき用紙６の場合は、はがき本体７の一方の側辺８に連設されている付随部９の連設辺との対向辺１１の近傍に２個のパンチ孔５が形成される。Ｚ折り圧着はがき用紙６が圧着されたときはがき本体７に印刷された「郵便はがき」の文字が露出して見えるようにした覗き孔１５の両端部の２個の孔をパンチ孔に兼用させるようにしてもよい。【選択図】      図１
2007152604.tif 000002
【特許請求の範囲】
【請求項１】
予めはがき本体またはその付随部にファイリング用パンチ孔を開けられていることを特徴とする圧着はがき用紙。
【請求項２】
予めはがき本体またはその付随部のファイリング用パンチ孔の位置に相当する２箇所にパンチ孔の円周に相当するミシン目又は半抜きの抜き形が形成されていることを特徴とする圧着はがき用紙。
【請求項３】
予めはがき本体の付随部に形成されたファイリング用パンチ孔と、
該ファイリング用パンチ孔の間に該ファイリング用パンチ孔と並んで形成された複数の覗き孔と、
前記付随部が前記はがき本体に重ね折りされたとき前記ファイリング用パンチ孔及び前記覗き孔に対応する前記はがき本体の位置に印刷された郵便はがきの文字と、
を有することを特徴とする圧着はがき用紙。
【発明の詳細な説明】
【技術分野】
【０００１】
本発明は、印刷された秘密情報を秘匿して郵送するために、はがき本体に圧着されるべき付随部を有する圧着はがき用紙に関する。
【背景技術】
【０００２】
従来、特定の個人のみへ文字情報を伝達するために、一般に、文字記載物を封書の形態にし、開封後に始めて当該個人が文字情報を確認できるようにしていた。
近年、個人情報保護が厳しく問われるようにもなり、各種事業所等では、例えば、個人の各種データ、成績表、給与明細書等の個人情報は、これを文字記載物の内部の印字箇所に記録して、印字箇所の周縁部もしくは文字記載物の全面を接着や圧着により封筒状やカード状にして配布したりしている。
【０００３】
このうち、はがきサイズのカード状のものは圧着はがきと呼ばれており、通常の郵便はがきと同じ料金で利用できることから、情報提供者側の利便性が高い印字（印刷）情報秘匿システムとして、広告宣伝のダイレクトメール等にも汎用されている。
【０００４】
上記の圧着はがきとしては、現在、Ｖ折り（二つ折り）はがきとＺ折り（三つ折り）はがきが流通している。Ｚ折りはがきは、Ｖ折りはがきよりも多くの情報を印刷できるので、最も普及している圧着はがきであるといえる。
【０００５】
このＺ折り（三つ折り）はがきに限定して、はがき本体の付随部を特別な形状にした圧着はがきが提案されている。（例えば、特許文献１参照。）
この提案では、はがき本体の「郵便はがき」又は「ＰＯＳＴＣＡＲＤ」と印刷された面に折り重ねる付随部側に「郵便はがき」又は「ＰＯＳＴＣＡＲＤ」の印刷文字だけが見える覗き窓をくり抜いた形状のものや、同じく「郵便はがき」又は「ＰＯＳＴＣＡＲＤ」の文字が印刷されている縁領域に対応する付随部側の部分を切り欠いた形状のもが例示されている。
【０００６】
また、この提案では、「郵便はがき」又は「ＰＯＳＴＣＡＲＤ」の文字を露出させるための孔を設けることも示唆されている。
通常、市場に流通している圧着はがきには、ダイレクトメールのようにすぐに情報価値のなくなるものと、例えば請求書、領収書などのように一定の期間保存を要するものとがある。
【特許文献１】実用新案登録第２６０７６９１号（図３乃至図８）
【発明の開示】
【発明が解決しようとする課題】
【０００７】
ところで、上記の圧着はがきにおいて、ダイレクトメールのようなものは、その郵便受取人にとって、圧着面を開封したはがきに記載されている広告品が興味の無いものであれば、開封したはがきは直ちに廃棄される。また、広告品が気に入って購入した場合も、広告品の購入が完了した段階で、はがきは廃棄される。
【０００８】
ところが、請求書、領収書などのように一定の期間保存を要するものは、適宜にファイルに綴じ込んで保存する必要がある。その際、郵便受取人は、ファイルに綴じ込むためのパンチ孔を、わざわざはがきに開けるという手間を掛けなければならないという問題があった。
【０００９】
この場合、「郵便はがき」又は「ＰＯＳＴＣＡＲＤ」の文字を露出させるための覗き孔が設けられた圧着はがきの場合であっても、それらの覗き孔は、もともと「郵便はがき」又は「ＰＯＳＴＣＡＲＤ」の文字の配置に合わせて位置された孔であり、パンチ孔として使用するという思想が全く無い。
【００１０】
そのように、文字用の覗き孔の配置間隔がパンチ孔の規格と異なるため、パンチ孔として使用できず、ファイリングのためには別途孔明けが必要とされていた。
本発明の課題は、上記従来の実情に鑑み、郵便受取人が圧着面を開封したはがきをパンチ孔を明ける手数を掛けずにそのままファイリングできる圧着はがき用紙を提供することである。
【課題を解決するための手段】
【００１１】
先ず、第１の発明の圧着はがき用紙は、予めはがき本体またはその付随部にファイリング用パンチ孔を開けられて構成される。
次に、第２の発明の圧着はがき用紙は、予めはがき本体またはその付随部のファイリング用パンチ孔の位置に相当する２箇所にパンチ孔の円周に相当するミシン目又は半抜きの抜き形が形成されて構成される。
【００１２】
更に、第３の発明の圧着はがき用紙は、予めはがき本体の付随部に形成されたファイリング用パンチ孔と、該ファイリング用パンチ孔の間に該ファイリング用パンチ孔と並んで形成された複数の覗き孔と、上記付随部が上記はがき本体に重ね折りされたとき上記ファイリング用パンチ孔及び上記覗き孔に対応する上記はがき本体の位置に印刷された郵便はがきの文字と、を有するように構成される。
【発明の効果】
【００１３】
本発明によれば、圧着はがき用紙のはがき本体またはその付随部に、予めファイリング用パンチ孔が明けられているか又はパンチ孔ミシン目又は半抜きが形成されているので、その圧着はがき用紙で作成された圧着はがき郵便の受取人は、開封したはがきにわざわざパンチ孔を明けるという手間を要さずに、そのままファイルに綴じ込むことが出来て便利である。
【発明を実施するための最良の形態】
【００１４】
以下、本発明の実施の形態を図面を参照しながら説明する。
（実施形態１）
図１(a),(b) は、実施形態１における圧着はがき用紙を２例示す図である。同図(a) はＶ折り（二つ折り）圧着はがき用紙を示しており、同図(b) はＺ折り（三つ折り）圧着はがき用紙を示している。
【００１５】
同図(a) に示すＶ折り圧着はがき用紙１は、はがき本体２の上辺近傍に「郵便はがき」の文字が印刷されている。そして、はがき本体２の一方の側辺３に連設されている付随部４には、その上辺近傍に２個のパンチ孔５が形成されている。
【００１６】
このＶ折り圧着はがき用紙１は、図の向う側の面に剥離可能な接着剤を塗布され、はがき本体２と付随部４との連設辺（はがき本体２の一方の側辺３）を山折りにされ、上記の接着剤塗布面が圧着されて、投函前の圧着はがきとなる。
【００１７】
また、同図(b) に示すＺ折り圧着はがき用紙６は、はがき本体７の一方の側辺８に連設されている付随部９の連設辺との対向辺１１の近傍に２個のパンチ孔５が形成されている。そして、はがき本体７の一方の付随部９との連設辺（はがき本体２の一方の側辺８）近傍に「郵便はがき」の文字が印刷されている。
【００１８】
そして、はがき本体７の他方の側辺１２に連設されている他方の付随部１３には、その連設辺との対向辺１４の近傍に、５個の覗き孔１５が形成されている。
このＺ折り圧着はがき用紙６は、表裏の各二面又は各一面に剥離可能な接着剤を塗布され、はがき本体７の一方の側辺８が山折りされ、他方の側辺１２が谷折りされて圧着され、投函前の圧着はがきとなる。
【００１９】
このとき、はがき本体７に印刷されている「郵便はがき」の文字が、このはがき本体７の面に圧着された付随部１３の上記の５個の覗き孔１５内に露出するようになっている。
上記Ｖ折り圧着はがき用紙１又はＺ折り圧着はがき用紙６のいずれにおいても、２個のパンチ孔５は、パンチ孔の規格に沿って、孔の中心から中心までの孔の配置間隔ａは８０ｍｍ±０．５ｍｍ、孔の直径は６ｍｍ±０．５ｍｍ、用紙の縁から孔の中心までの距離つまり孔の配置奥行きｃは１２ｍｍ±１ｍｍである。
【００２０】
このように、はがき本体の付随部側に、予めパンチ孔が明けられているので、上記いずれかの圧着はがき用紙で作成された圧着はがき郵便の受取人は、開封したはがきにわざわざパンチ孔を明けるという手間を要さずに、そのままファイルに綴じ込むことが出来る。
【００２１】
上記実施形態１では、はがき本体の付随部側にパンチ孔を明けて、付随部に綴じ代部を設けているが、綴じ代部はこれに限ることなく、はがき本体側に設けることもできる。
また、はがき本体に孔を明けることにより本体形状を損なうのを望まない場合、例えばパンチ孔に代わるミシン目や半抜きによる綴じ孔部をはがき本体に形成すればよい。
【００２２】
（実施形態２）
そのように、はがき本体の形状を損なうことなく、綴じ代部をはがき本体側に設けて、圧着はがき郵便の受取人が開封したはがきにわざわざパンチ孔を明けるという手間を要さずに、はがき本体部を綴じ部として、そのままファイルに綴じ込むことが出来る圧着はがき用紙を、実施形態２として以下に説明する。
【００２３】
図２(a),(b) は、実施形態２における圧着はがき用紙を２例示す図である。同図(a) はＶ折り（二つ折り）圧着はがき用紙を示しており、同図(b) はＺ折り（三つ折り）圧着はがき用紙を示している。
【００２４】
図２(a) に示すＶ折り圧着はがき用紙１６は、上辺近傍に「郵便はがき」の文字が印刷されているはがき本体１７の付随部１８との連設辺１９の対向辺２１の近傍に２個のパンチ孔の円周に相当するミシン目の抜き形２２が形成されている。
【００２５】
このＶ折り圧着はがき用紙１６も、図の向う側の面に剥離可能な接着剤を塗布され、はがき本体１７と付随部１８との連設辺１９を山折りにされ、上記の接着剤塗布面が圧着されて、投函前の圧着はがきとなる。
【００２６】
また、同図(b) に示すＺ折り圧着はがき用紙２３は、はがき本体２４の上辺近傍に２個のパンチ孔の円周に相当するミシン目の抜き形２２が形成されている。そして、はがき本体２４の一方の付随部２５との連設辺２６の近傍に「郵便はがき」の文字が印刷されている。
【００２７】
また、はがき本体２４の他方の付随部２７との連設辺２８の対向辺２９の近傍に、５個の覗き孔３１が形成されている。
このＺ折り圧着はがき用紙２３も、表裏の各二面又は各一面に剥離可能な接着剤を塗布され、はがき本体２４の一方の付随部２５との連設辺２６が山折りされ、他方の付随部２７との連設辺２８が谷折りされて圧着され、投函前の圧着はがきとなる。
【００２８】
この場合も、はがき本体２４に印刷されている「郵便はがき」の文字が、このはがき本体２４の面に圧着された付随部２７の上記の５個の覗き孔３１内に露出するようになっている。
【００２９】
尚、上記Ｖ折り圧着はがき用紙１又はＺ折り圧着はがき用紙６のいずれにおいても、抜き形２２が形成する孔の配置間隔、孔の直径、及び孔の配置奥行きの寸法は図１(a),(b) に示したパンチ孔５の場合と同一である。
【００３０】
また、この抜き形２２は、ミシン目に限ることなく、半抜きであってもよい。
このように、本例では、はがき本体側に、パンチ孔の円周に対応する抜き形２２が、パンチ孔の規格に沿った孔の配置間隔、孔の直径、及び孔の配置奥行きの寸法で形成されている。
【００３１】
これにより、上記いずれかの圧着はがき用紙で作成された圧着はがきを受け取った郵便受取人は、開封したはがきにわざわざパンチ孔を明けるという手間を要さずに、抜き形２２の部分をファイルの綴じ具に当てるだけで綴じ孔が自動的に開いて、綴じ具を抜き形２２の部分に挿通させることができ、パンチ孔の場合と同様に、開封はがきを、そのままファイルに簡単に綴じ込むことが出来る。
【００３２】
なお、上記のように、圧着はがき用紙にパンチ孔の円周に対応する抜き形２２が形成されている場合には、圧着用接着剤の塗布方法に特別な塗布方法を付加することによって、郵便受取人が抜き形２２の部分をファイルの綴じ具に当てる前に、抜き形２２で形成されている綴じ孔を自動的に開く方法がある。以下、これについて、説明する。
【００３３】
図３(a) 〜(d) は、上記のようにパンチ孔の円周に対応する抜き形２２が形成されている場合における圧着用接着剤の塗布方法の一例を説明する図である。なお、図３(a) は図２(a) のＶ折り圧着はがき用紙１６を示しており、図３(c) は図２(b) のＺ折り圧着はがき用紙２３を示している。
【００３４】
図３(a) において、はがき本体１７の付随部１８との連設辺１９を山折りにして、はがき本体１７と付随部１８とを圧着するに際して、付随部１８の圧着用接着剤の塗布面の、圧着時において抜き形２２に圧着される抜き形との対応部３２に、接着性の強力な接着剤を塗布するようにする。
【００３５】
これにより、このＶ折り圧着はがき郵便の受取人が、圧着部面を剥離して開封するとき、付随部１８の抜き形との対応部３２に塗布された接着性の強力な接着剤により、抜き形２２が、図３(b) の矢印ｄ及びｅに示すように、付随部１８側に貼り付いたまま付随部１８側に移動する。これにより、はがき本体１７の抜き形２２の部分にパンチ孔が自動的に形成される。
【００３６】
また、図３(c) においても同様に、はがき本体２４の他方の付随部２７との連設辺２８を谷折りにして、はがき本体２４と付随部２７とを圧着するに際して、付随部２７の圧着用接着剤の塗布面の、圧着時において抜き形２２に圧着される抜き形との対応部３３に、接着性の強力な接着剤を塗布するようにする。
【００３７】
これにより、このＺ折り圧着はがき郵便の受取人が、圧着部面を剥離して開封するとき、付随部２７の抜き形との対応部３３に塗布された接着性の強力な接着剤により、抜き形２２が、図３(d) の矢印ｆ及びｇに示すように、付随部２７側に貼り付いたまま付随部２７側に移動する。これにより、はがき本体２４の抜き形２２の部分にパンチ孔と同様の綴じ孔が自動的に形成される。
【００３８】
（実施形態３）
図４(a) は、実施形態３におけるＺ折り圧着はがき用紙を示す図であり、同図(b) は、その圧着後の態様を示す図である。
【００３９】
同図(a) に示すＺ折り圧着はがき用紙３４は、はがき本体３５と一方の付随部３６との連設辺３７の近傍に「郵便はがき」の文字が印刷されている。
また、はがき本体３５の他方の付随部３８との連設辺３９の対向辺４１の近傍に、５個の孔４２（４２−１〜４２−５）が形成されている。これら５個の孔４２のうち両外側の孔４２−１と４２−５は、覗き孔を兼ねたパンチ孔である。
【００４０】
他の３個の孔４２−２〜４２−４は、覗き専用の孔であり、パンチ孔４２−１と４２−５の間にパンチ孔４２−１及び４２−５と並んで形成されている。
このＺ折り圧着はがき用紙３５の表裏の各二面又は各一面に剥離可能な接着剤を塗布され、はがき本体３５の一方の付随部３６との連設辺３７が山折りされ、他方の付随部３８との連設辺３９が谷折りされて圧着され、投函前の圧着はがきとして完成したとき、図４(b) に示すように、上記はがき本体３５に印刷された「郵便はがき」の文字が、パンチ孔４２−１と４２−５及び覗き孔４２−２〜４２−４内に露出するように配置されている。
【００４１】
上記パンチ孔４２−１と４２−５及び覗き孔４２−２〜４２−４の、孔の直径、及び孔の配置奥行きの寸法は、図１(a),(b) に示したパンチ孔５の場合と同一であり、パンチ孔４２−１と４２−５の孔の配置間隔も図１(a),(b) に示したパンチ孔５の場合と同一である。
【図面の簡単な説明】
【００４２】
【図１】(a),(b) は実施形態１における圧着はがき用紙を２例示す図である。
【図２】(a),(b) は実施形態２における圧着はがき用紙を２例示す図である。
【図３】(a) 〜(d) はパンチ孔の円周に対応する抜き形が形成されている場合において圧着用接着剤の塗布方法の一例を説明する図である。
【図４】(a) は実施形態３におけるＺ折り圧着はがき用紙を示す図、(b) はその圧着後の形態を示す図である。
【符号の説明】
【００４３】
１      Ｖ折り（二つ折り）圧着はがき用紙
２      はがき本体
３      一方の側辺
４      付随部
５      パンチ孔
６      Ｚ折り圧着はがき用紙
７      はがき本体
８      一方の側辺
９      一方の付随部
１１    連設辺との対向辺
１２    他方の側辺
１３    他方の付随部
１４    連設辺との対向辺
１５    覗き孔
１６    Ｖ折り圧着はがき用紙
１７    はがき本体
１８    付随部
１９    連設辺
２１    連設辺との対向辺
２２    抜き形
２３    Ｚ折り圧着はがき用紙
２４    はがき本体
２５    一方の付随部
２６    連設辺
２７    他方の付随部
２８    連設辺
２９    連設辺の対向辺
３１    覗き孔
３２、３３  抜き形との対応部
３４    Ｚ折り圧着はがき用紙
３５    はがき本体
３６    一方の付随部
３７    連設辺
３８    他方の付随部
３９    連設辺
４１    連設辺の対向辺
４２（４２−１〜４２−５）  孔
【図１】
2007152604.tif 000003
【図２】
2007152604.tif 000004
【図３】
2007152604.tif 000005
【図４】
2007152604.tif 000006